(57)【要約】  【課題】  無線端末が屋内又は特定領域に進入するとカメラ機能が自動でオフとされ、屋内又は特定領域の外部に出るとカメラ機能が自動でオンとなるように制御して、無線端末のカメラ機能を使う加入者の便宜性を確保しつつ、無線端末のカメラ機能の悪意的な使用を防止し、出入する無線端末の情報を管理する。  【解決手段】  本発明を適用した無線端末の制御システムは、無線端末の機能モードを制御する制御情報を含む制御信号を生成して送り出す信号送出装置２０と、信号送出装置から送り出される制御信号が受信されると、制御信号に含まれた制御情報を認識して該当の機能モードを設定する少なくとも一つ以上の無線端末３０と、を含む。【選択図】  図１
2005143110.tif 000002
【特許請求の範囲】
【請求項１】
無線端末を制御するシステムであって、
前記無線端末の機能モードを制御する制御情報を含む制御信号を生成して送り出す信号送出装置と、 
前記信号送出装置から送り出された制御信号を受信すると、該制御信号に含まれた制御情報に基づく機能モードを設定する、少なくとも一つ以上の無線端末と、
を含むことを特徴とする無線端末の制御システム。
【請求項２】
前記信号送出装置は、互いに異なる通信方式らによる制御情報を保存し、該制御情報を使用して周期的に制御信号を生成すること
を特徴とする請求項１記載の無線端末の制御システム。
【請求項３】
前記通信方式は、ＧＳＭ通信方式、ＣＤＭＡ通信方式、ＷＣＤＭＡ通信方式の内の少なくとも一つの通信方式であること
を特徴とする請求項２記載の無線端末の制御システム。
【請求項４】
前記信号送出装置は、System Parameter MessageのBASE_CLASSフィールド又はSync Channel MessageのPARTフィールドの予備フィールドに制御情報を含ませて、ＣＤＭＡ通信方式による制御信号を生成すること
を特徴とする請求項１又は３記載の無線端末の制御システム。
【請求項５】
前記信号送出装置は、新たに定義されるＳＩＢタイプに制御情報を含ませて、ＷＣＤＭＡ通信方式による制御信号を生成すること
を特徴とする請求項１又は３記載の無線端末の制御システム。
【請求項６】
前記信号送出装置は、SYS_INFO messageのフィールドにおける予備フィールドに制御情報を含ませて、ＧＳＭ通信方式による制御信号を生成すること
を特徴とする請求項１又は３記載の無線端末の制御システム。
【請求項７】
前記信号送出装置は、前記制御信号を、前記各通信方式による前記無線端末が使用する各周波数帯域へ送り出すこと
を特徴とする請求項３記載の無線端末の制御システム。
【請求項８】
前記無線端末は、前記制御情報による機能設定情報を保存し、前記受信される制御信号の制御情報を分析し、前記制御情報による機能設定情報をサーチして、該当する機能設定情報に従った機能モードを設定すること
を特徴とする請求項１記載の無線端末の制御システム。
【請求項９】
前記機能モードは、前記無線端末のカメラオンモード、カメラオフモード、無線ネットワークへデータを伝送するネットワーク接続オンモード、ネットワーク接続オフモード、着信ベル無音モード、及び着信震動モードの内の、少なくとも一つ以上のモードであること
を特徴とする請求項１記載の無線端末の制御システム。
【請求項１０】
無線端末の機能を制御する信号を送り出す装置であって、
相異なる通信方式らを使う無線端末の機能モードを制御する制御情報を保存する保存部と、
前記保存部に保存された前記制御情報による制御信号を生成して無線で送り出す信号処理部と、
を含むことを特徴とする無線端末に制御信号を送り出す装置。
【請求項１１】
前記無線端末の機能モードは、前記無線端末のカメラオンモード、カメラオフモード、無線ネットワークへデータを伝送するネットワーク接続オンモード、ネットワーク接続オフモード、着信ベル無音モード、及び着信震動モードの内の、少なくとも一つ以上のモードであること
を特徴とする請求項１０記載の無線端末に制御信号を送り出す装置。
【請求項１２】
無線ネットワークから受信される制御信号の制御情報による機能設定情報を保存する保存部と、
自機に設定された通信方式及び周波数帯域を通じて制御信号を受信する信号受信部と、
前記信号受信部を通じて受信される制御信号に含まれた制御情報を認識し、その制御情報による機能設定情報を前記保存部からサーチして該サーチ結果に従うモード信号を供給する信号判断部と、
前記信号判断部から供給されるモード信号に従って、該当する機能モードを設定するモード処理部と、
を含むことを特徴とする自動でモードを設定する無線端末。
【請求項１３】
前記機能モードは、前記無線端末のカメラオンモード、カメラオフモード、無線ネットワークへデータを伝送するネットワーク接続オンモード、ネットワーク接続オフモード、着信ベル無音モード、及び着信震動モードの内の、少なくとも一つ以上のモードであること
を特徴とする請求項１２記載の自動でモードを設定する無線端末。
【請求項１４】
無線端末を制御する方法であって、
信号送出装置が、前記無線端末の機能を制御する制御情報が含まれた制御信号を生成して無線で送り出す段階と、
前記制御信号を受信した無線端末が、該制御信号に含まれた制御情報に従って、機能モードを設定する段階と、
を含むことを特徴とする無線端末の機能を制御する方法。
【請求項１５】
前記信号送出装置が、相異なる通信方式らを使う各無線端末の機能モードを制御する制御情報を入力し、保存する段階をさらに含むこと
を特徴とする請求項１４記載の無線端末の機能を制御する方法。
【請求項１６】
前記無線端末は、前記制御信号に含まれた制御情報によるモード設定情報を保存し、前記受信される制御信号の制御情報によるモード設定情報をサーチすること
を特徴とする請求項１５記載の無線端末の機能を制御する方法。
【請求項１７】
前記機能モードは、前記無線端末のカメラオンモード、カメラオフモード、無線ネットワークへデータを伝送するネットワーク接続オンモード、ネットワーク接続オフモード、着信ベル無音モード、及び着信震動モードの内の、少なくとも一つ以上のモードであること
を特徴とする請求項１４記載の無線端末の機能を制御する方法。
【請求項１８】
無線端末の機能を制御する信号を送り出す方法であって、
相異なる通信方式らを使う無線端末の機能モードを制御する制御情報を入力し、保存する段階と、
前記保存された制御情報を含む制御信号を周期的に生成して、該信号を少なくとも一つ以上の無線端末が受信することができるように送り出す段階と、
を含むことを特徴とする無線端末に制御信号を送り出す方法。
【請求項１９】
前記機能モードは、前記無線端末のカメラオンモード、カメラオフモード、または無線ネットワークへデータを伝送するネットワーク接続オンモード、ネットワーク接続オフモード、着信ベル無音モード、及び着信震動モードの内の、少なくとも一つ以上のモードであること
を特徴とする請求項１８記載の無線端末に制御信号を送り出す方法。
【請求項２０】
無線端末が自機のモードを設定する方法であって、
前記無線端末が使う通信方式及び周波数帯域で受信された制御信号の制御情報によるモード設定情報を入力し、保存する段階と、
信号送出装置から前記通信方式及び周波数帯域で受信された制御信号の制御情報を認識する段階と、
前記制御情報によるモード設定情報をサーチし、そのサーチされたモード設定情報によるモードを設定する段階と、
を含むことを特徴とする無線端末が自動でモードを設定する方法。
【請求項２１】
前記モードは、前記無線端末のカメラオンモード、カメラオフモード、無線ネットワークへデータを伝送するネットワーク接続オンモード、ネットワーク接続オフモード、着信ベル無音モード又は着信震動モードの中で少なくとも一つ以上のモードであること
を特徴とする請求項２０記載の無線端末が自動でモードを設定する方法。
【請求項２２】
少なくとも一つ以上の無線端末の情報を管理する装置であって、
管理者が設定する複数個のプロトコルパラメーター情報及び周波数帯域情報を供給し、管理者の選択によって前記無線端末の情報をディスプレーする管理サーバーと、
前記管理サーバーから供給されたパラメーター情報による制御信号を生成し、前記パラメーター情報による周波数帯域情報を通じて送り出し、前記無線端末から受信された信号による状態情報を保存し、前記管理サーバーから状態情報要求信号が受信されると、前記状態情報を供給する少なくとも一つ以上の信号処理手段と、
前記信号処理手段から前記周波数帯域情報を通じて送り出された制御信号が受信されると、使用者により設定されたパラメーター情報に従って、状態情報が含まれた信号を生成して前記信号処理手段へ送信する複数の無線端末と、
を含むことを特徴とする無線端末の状態情報を管理するシステム。
【請求項２３】
前記管理サーバーは、前記各信号処理手段から受信される各無線端末の状態情報を前記各無線端末が使うプロトコル別に管理する方法、周波数帯域別に管理する方法、無線チャンネル設定時間帯別に管理する方法の内の少なくとも一の方法で、前記各無線端末の状態情報を管理すること
を特徴とする請求項２２記載の無線端末の状態情報を管理するシステム。
【請求項２４】
管理サーバーが複数の無線端末の情報を管理する方法であって、
前記管理サーバーが、管理者により設定された複数のプロトコルパラメーター情報及び周波数帯域情報を信号送出手段に供給する段階と、
各信号送出手段が、前記管理サーバーから供給されたパラメーター情報を使用して制御信号を生成し、対応する周波数帯域により各無線端末へ送り出す段階と、
前記無線端末が、前記信号送出手段からの制御信号を受信すると、使用者が設定したパラメーター情報に従った状態情報が載せられた状態信号を生成して前記信号送出手段へ伝送する段階と、
前記信号送出手段が、前記各無線端末から受信した状態信号に含まれた状態情報を保存する段階と、
前記管理サーバーが、管理者の要求に従った状態情報要求信号を、各信号送出手段へ伝送する段階と、
前記各信号送出手段が、保存された各無線端末の状態情報を供給する段階と、
前記管理サーバーが、前記信号送出手段から供給された各無線端末の状態情報を区分してディスプレーする段階と、
を含むことを特徴とする無線端末の状態情報を管理する方法。
【請求項２５】
前記管理サーバーが前記状態情報を区分することは、前記各信号送出手段から受信される各無線端末の状態情報を、前記各無線端末が使うプロトコル別に管理する方法、周波数帯域別に管理する方法、無線チャンネル設定時間帯別に管理する方法の内の、少なくとも一の方法で行われること
を特徴とする請求項２４記載の無線端末の状態情報を管理する方法。
【請求項２６】
無線端末のカメラ機能を制御する方法であって、
管理サーバーのユーザーインターフェースユニットを通じて複数のプロトコルによるパラメーター情報と周波数帯域情報を設定する段階と、
前記複数のプロトコルによるパラメーター情報と周波数帯域情報が設定されると、制御ユニットが、該パラメーター情報と周波数帯域情報を用いて、相応するプロトコルテーブルを生成してメモリーに保存する段階と、
複数の信号送出装置の各々が、前記メモリーに保存されたプロトコルテーブルを参照して、前記各プロトコルによるカメラ制御信号を生成して送り出す段階と、
前記無線端末が、カメラ機能制御ユニット内部に含まれると、新規システムから送り出される信号を検索する段階と、
前記無線端末が、新規システムと無線チャンネルが設定されて前記カメラ制御信号を獲得する段階と、
前記無線端末が、前記獲得されたカメラ制御信号に含まれたパラメーター情報を認識し、該認識されたパラメーター情報によって前記カメラ制御信号がカメラオン制御信号であるか或いはカメラオフ制御信号であるかを判断する信号判断段階と、
を含むことを特徴とする無線端末のカメラ機能制御方法。
【請求項２７】
前記信号判断段階は、前記受信されたカメラ制御信号がカメラオン制御信号であると判断された場合にはカメラオンモードに設定し、カメラオフ制御信号あると判断された場合にはカメラオフモードに設定する段階をさらに含むこと
を特徴とする請求項２６記載の無線端末のカメラ機能制御方法。
【請求項２８】
前記管理サーバーからパラメーター情報が受信されると、ＣＤＭＡによって周期的にシステム情報を無線端末へ伝送するシステムパラメーターメッセージのベースクラシックフィールド値を、システムがパブリックマイクロセルラシステムならば第１の所定値に設定し、システムがパブリックコミュニケーションサービスシステムならば第２の所定値に設定して、カメラ制御信号を生成する信号処理部を用いること
を特徴とする請求項２６記載の無線端末のカメラ機能制御方法。
【請求項２９】
無線端末とチャンネル速度を同期化するために周期的に伝送するシンクチャンネルメッセージを生成するときに、ペイジングチャンネル伝送速度情報を知らせるフィールド値を第３の所定値又は第４の所定値で設定して、カメラオン制御信号又はカメラオフ制御信号を生成する信号処理部を用いること
を特徴とする請求項２６記載の無線端末のカメラ機能制御方法。
【発明の詳細な説明】
【技術分野】
【０００１】
本発明は、カメラ機能を制御する装置及びその方法に関し、より詳しくは、無線端末のカメラ機能を自動で制御して悪意的に無線端末のカメラ機能を使うことを防止するカメラ機能を制御する装置及びその方法に関する。
【背景技術】
【０００２】
今日において、無線端末は、無線通話サービス機能、無線インターネットサービス機能、短文サービス(Short Message Service)機能及びカメラ(camera)機能などの、多様なサービスを提供している。
【０００３】
このような無線端末のサービス機能の中で、カメラ機能は、無線端末にカメラ機能を内蔵することによって、加入者が無線端末を通じて映像を撮影し、その撮影された映像情報を記憶手段に保存し、加入者の要求によって、表示手段を通じて表示する、或いはインターネット又はその他のネットワークを通じて伝送することができる機能である。
【０００４】
このカメラ機能は、加入者が別のカメラを持つ必要無く、無線端末を通じてカメラ機能の提供を受けることができるという肯定的な側面を有していると同時に、他人のプライバシーを侵害し得るという否定的な側面をも有している。
【０００５】
即ち、加入者が他人の了解を求めないでその人の映像情報を無線端末のカメラ機能で撮影するなどの行為により、他の人々の私生活を侵害する事態が発生し得る。
【０００６】
また、加入者が無線端末のカメラ機能により他人の姿を撮影する場合に、その他人は自分の姿が撮影されていることを認知することができないことから、これが社会的な問題となっている。
【０００７】
また、最近では、情報化の発達により企業間技術競争が激しくなっていることから、無線端末のカメラ機能を悪質に（悪意を持って）使用することに対する防御が必要と考えられている。
【０００８】
即ち、無線端末のカメラ機能を使用して他社或いは他人の技術及び映像を撮影する行為、及びそれらを外部に流出させる行為に対する予防が求められている。
【０００９】
そして、無線端末を悪意的に使う事態の発生時には、企業又は特定領域を管理する管理者が、データベースに保存された無線端末の情報を利用して、無線端末らの出入する情報の統合管理、及び発生する問題の解決を図る必要がある。
【発明の開示】
【発明が解決しようとする課題】
【００１０】
したがって、本発明は上述したような従来技術の問題点を解決するためになされたもので、その目的は、無線端末が屋内又は特定領域に進入するとカメラ機能が自動でオフとされ、屋内又は特定領域の外部に出るとカメラ機能が自動でオンとなるように制御して、無線端末のカメラ機能を使う加入者の便宜性を確保しつつ、無線端末のカメラ機能の悪意的な使用を防止し、出入する無線端末の情報を管理するための、無線端末を制御する装置及び方法を提供することにある。
【課題を解決するための手段】
【００１１】
上記目的を達成するための本発明の一側面による無線端末の制御システムは、無線端末の機能モードを制御する制御情報を含む制御信号を生成して送り出す信号送出装置と、該信号送出装置から送り出された制御信号を受信すると、該制御信号に含まれた制御情報を認識して、該当する機能モードを設定する少なくとも一つ以上の無線端末と、を含む。
【００１２】
好ましくは、信号送出装置は、互いに異なる通信方式らによる制御情報を保存し、該制御情報を使用して周期的に制御信号を生成するようにする。
【００１３】
また、好ましくは、無線端末は、制御情報による機能設定情報を保存し、受信される制御信号の制御情報を分析して機能設定情報をサーチしてその機能設定情報による機能モードを設定するようにする。
【００１４】
一方、本発明の他の側面による無線端末に制御信号を送り出す装置は、相異なる通信方式らを使う無線端末の機能モードを制御する制御情報を保存する保存部と、保存部に保存された制御情報を使用して制御信号を生成し、その生成された制御信号を無線で送り出す信号処理部とを含む。
【００１５】
本発明のまた他の側面による自動でモードを設定する無線端末は、無線ネットワークから受信される制御信号の制御情報による機能設定情報を保存する保存部と、自機に設定された通信方式及び周波数帯域を通じて制御信号を受信する信号受信部と、信号受信部が受信する制御信号の制御情報を認識し、その制御情報による機能設定情報を保存部からサーチして該サーチ結果に従うモード信号を供給する信号判断部と、信号判断部から供給されるモード信号に従って、該当する機能モードを設定するモード処理部と、を含む。
【００１６】
本発明のまた他の側面による無線端末の機能を制御する方法は、信号送出装置が、無線端末の機能を制御する制御情報が含まれた制御信号を生成して無線で送り出す段階と、この制御信号を受信した無線端末が、該制御信号に含まれた制御情報に従って、機能モードを設定する段階と、を含む。
【００１７】
ここで、好ましくは、信号送出装置が、相異なる通信方式らを使う各無線端末の機能モードを制御する制御情報を入力し、保存する段階をさらに含む。
【００１８】
本発明のまた他の側面による無線端末に制御信号を送り出す方法は、相異なる通信方式らを使う無線端末の機能モードを制御する制御情報を入力し、保存する段階と、保存された制御情報を含む制御信号を周期的に生成して、該信号を少なくとも一つ以上の無線端末が受信することができるように送り出す段階と、を含む。
【００１９】
また、本発明のまた他の側面による無線端末が自動でモードを設定する方法は、無線端末が使う通信方式及び周波数帯域で受信された制御信号の制御情報によるモード設定情報を入力し、保存する段階と、信号送出装置から前記通信方式及び周波数帯域で受信された制御信号の制御情報を認識する段階と、制御情報によるモード設定情報をサーチしてそのサーチされたモード設定情報によるモードを設定する段階と、を含む。
【発明の効果】
【００２０】
本発明によれば、カメラ機能が悪意的に使われる場合に、その無線端末のカメラ機能を自動で制御して、情報流出や他人のプライバシー侵害などを防止することができる効果がある。
【００２１】
また、無線端末が使うプロトコル(ＣＤＭＡ、ＷＣＤＭＡ、ＧＳＭなど)にかかわらず、カメラ機能を自動で制御することができる効果がある。
【００２２】
また、無線端末が屋内又は特定領域で悪意的に使われる際に、管理者が出入する各無線端末の状態情報(status information)を容易に検索できるようにして、無線端末の悪意的な使用に対する迅速な対応ができる効果がある。
【発明を実施するための最良の形態】
【００２３】
以下、添付図面を参照して、本発明による無線端末を制御する装置及びその方法について詳細に説明する。
【００２４】
図１は、本発明の好ましい実施の形態による無線端末の制御システムの構成を説明するための全体ブロック図である。
【００２５】
図１を参照すると、無線端末の制御システムは、管理サーバー１０と、複数個の信号送出装置２０（２０−１，２０−２，２０−３，・・・，２０−ｎ）と、を含む。
【００２６】
ここで、管理サーバー１０と複数の信号送出装置２０とは、有/無線ネットワークを通じて接続できるが、本発明の詳細説明では、ＬＡＮ(Local Area Network)で接続される場合について説明する。
【００２７】
管理サーバー１０は、管理者の設定によって信号送出装置２０が無線端末３０のカメラ機能を制御するカメラ制御信号を送り出すように各プロトコルによるパラメーター(parameter)情報及び周波数帯域情報を伝送する。
【００２８】
そして、本発明による無線端末を制御するシステムは、外部無線通信基地局から送り出される信号の流入を防止する信号遮蔽機能を有したケース（case）４０と、無線端末３０を移動させる移送部４１と、を具備する。
【００２９】
ここで、ケース４０には、無線端末３０を内部に流入させる流入口(図示せず)及び外部へ排出させる排出口(図示せず)が具備され、ケース４０の上側内部には複数の信号送出装置２０が具備され、下側内部を貫通して移送部４１が具備されることが望ましい。
【００３０】
また、管理サーバー１０は、各信号送出装置２０に対して、これら各信号送出装置２０が各プロトコルによる制御信号を生成するように管理者により設定されたプログラム情報を、供給する。
【００３１】
複数の信号送出装置２０は、管理サーバー１０から供給されたプログラム情報に基づいて、周期的に制御信号を送り出す。
【００３２】
ここで、複数の信号送出装置２０が送り出す制御信号には、無線端末３０のカメラ機能をオン/オフさせるカメラ制御信号、無線端末３０が無線ネットワークを通じて他の端末と接続してデータを接続するネットワーク接続オン/オフ制御信号、無線端末３０の着信ベルを無音に切り替える無音制御信号及び着信ベルを震動に切り替える着信震動制御信号などが該当する。以下、本発明の詳細説明では、無線端末３０のカメラ機能を制御する場合について説明するが、その他の無線端末３０の機能を制御する場合もこれと同様である。
【００３３】
ここで、各信号送出装置２０は、管理サーバー１０から受信されるプロトコルのパラメーター情報及び周波数帯域情報を使用して無線端末３０のカメラ機能をオン(on)/オフ(off)するカメラ制御信号を生成し、その生成されたカメラ制御信号を無線端末３０へ送り出す。
【００３４】
図２は、本発明の好ましい実施の形態による管理サーバーの内部構成を説明するための内部ブロック図である。
【００３５】
図２を参照すると、管理サーバー１０は、ユーザーインターフェース部１１と、ＣＰＵからなりこのサーバー全体の制御を司る制御部１２と、ＬＡＮインターフェース部１４と、ＲＡＭ或いはＨＤＤ等の記憶媒体からなる保存部１３と、を含む。
【００３６】
ユーザーインターフェース部１１は、図示しないキーボードやマウス等の入力デバイスを含み、無線端末のカメラ機能を制御するために管理者により設定されたプログラム情報、各プロトコルによるパラメーター情報及び周波数帯域情報を制御部１２に供給する。また、ユーザーインターフェース部１１は、ＬＣＤやＣＲＴ等のディスプレイ（図１参照）も含まれ、制御部１２から供給されるディスプレー信号を該ディスプレイに供給する機能を担う。
【００３７】
ここで、各無線端末が使うプロトコルには、ＣＤＭＡ(code-division multiple access：コード分割多重接続)プロトコル、ＷＣＤＭＡ(Wideband-ＣＤＭＡ)プロトコル及びＧＳＭ(Global System for Mobile communication)プロトコルなどがある。
【００３８】
現在、無線端末３０に使われるデジタル通信方式は、大きく、ＴＤＭＡ(time division multiple access ：時分割多重接続)方式と、ＣＤＭＡ方式と、に区別することができる。
【００３９】
ＣＤＭＡ方式とは、符号軸上での分割方式であり、帯域拡散(Spread Spectrum)技術を活用して一定の周波数帯域をチャンネルで分割しないで全体帯域内で各々の情報を特定符号で分割して伝送し、受信側でも全体帯域内の多い情報の中で同一である符号で拡散された情報のみを抽出して再生する方式である。
【００４０】
このようなＣＤＭＡ方式の中で、チャンネル帯域幅を５ＭＨｚ程度使ってフェーディング(fading)現象に対する強化が図られたデジタル通信方式を、ＷＣＤＭＡ方式と言う。
【００４１】
そして、ＴＤＭＡ方式とは、デジタル移動電話の方式であって、一定の周波数帯域を時間的に分割して伝送しようとする情報を時間差（time lag）を置いて伝送し、受信側では受信される情報を時間差を置いて修復するものである。なお、ヨーロッパで使われるＴＤＭＡ方式は、ＧＳＭ方式と呼ばれる。
【００４２】
制御部１２は、管理者からユーザーインターフェース部１１を通じて供給されるプログラム情報を保存部１３に保存し、また、該当のプログラム情報に従って、各信号送出装置２０へパラメーター情報及び周波数帯域情報を送信する。
【００４３】
このとき、制御部１２は、管理者から供給された各プロトコルによるパラメーター情報及び周波数帯域情報を用いて、対応するプロトコルテーブルを生成し、その生成されたプロトコルテーブルを保存部１３に保存する。
【００４４】
図３は、本発明の好ましい実施の形態による保存部に保存される各プロトコルテーブルを説明するための図である。
【００４５】
図３に図示されるように、保存部１３は、制御部１２が生成する各プロトコルによるプロトコルテーブル１３ａ，１３ｂ，１３ｃを保存する。
【００４６】
即ち、制御部１２は、管理者からユーザーインターフェース部１１を通じて受信される各プロトコルによるパラメーター情報及び周波数帯域情報を使用して各プロトコルテーブル１３ａ，１３ｂ，１３ｃを生成し、その生成された各プロトコルテーブル１３ａ，１３ｂ，１３ｃを保存部１３に保存する。
【００４７】
このとき、制御部１２が生成する各プロトコルテーブル１３ａ，１３ｂ，１３ｃは、ＣＤＭＡプロトコルテーブル１３ａ、ＷＣＤＭＡプロトコルテーブル１３ｂ、ＧＳＭプロトコルテーブル１３ｃなどで生成することができる。
【００４８】
以下、本発明の詳細説明では、無線端末がＣＤＭＡプロトコル、ＷＣＤＭＡプロトコル、ＧＳＭプロトコルを使う場合についての一例を説明するが、その他の通信方式又はその他のプロトコルを使う場合であっても本発明の範囲を脱するものではない。
【００４９】
ここで、ＣＤＭＡプロトコルテーブル１３ａは、ＣＤＭＡプロトコルを使うシステムの情報であるパラメーター情報と、カメラ機能を制御するパラメーター情報及び周波数帯域情報を持つ。
【００５０】
ここで、カメラ機能を制御するパラメーター情報は、無線端末３０のカメラ機能を制御するために定義されるパラメーター情報である。
【００５１】
一例として、ＣＤＭＡプロトコルによって基地局が伝送する信号の中で周期的に無線端末３０へシステムの情報を伝送する‘System Parameter Message'を使用する場合について説明する。
【００５２】
‘System Parameter Message'は、基地局のシステム情報を無線端末３０へ伝送するために、１．２８秒周期で生成して伝送するメッセージであり、このメッセージには‘BASE_CLASS'という４ビットのフィールドがある。
【００５３】
このような‘BASE_CLASS'フィールドは、現在‘0000'と‘0001'値だけ定義されて使われている。
【００５４】
表１は、現在の‘BASE_CLASS'フィールドに定義されている値を説明するためのものである。
【表１】
2005143110.tif 000003
【００５５】
表１に表されるように、現在の‘BASE_CLASS'フィールドは、‘0000'値と‘0001'値だけが定義されている。
【００５６】
即ち、基地局は、無線通信システムが‘Public Macrocellular System'であるならば、‘BASE_CLASS'フィールドを‘0000'値に設定し、無線通信システムが‘Public PCS(Personal Communications Services)System'であるならば、‘BASE_CLASS'フィールドを‘0001'値に設定して‘System Parameter Message'を生成し、その生成された‘System Parameter Message'を無線端末３０へ伝送する。
【００５７】
したがって、‘BASE_CLASS'フィールド値の予備(reserved)フィールド値は、カメラ機能をオン/オフするパラメーターとして定義されることができる。
【００５８】
次の表２は、本発明にしたがって、‘BASE_CLASS'フィールドに新たに定義される値を説明するためのものである。
【表２】
2005143110.tif 000004
【００５９】
表２に表されるように、‘BASE_CLASS'の予備フィールドでは、‘0010'フィールド値を‘Public Macrocellular System, camera ON’機能として定義し、‘0011'値を‘Public Macrocellular System, camera OFF'機能として定義し、‘0100'値を’‘Public PCS System, camera ON'機能として定義し、また、‘0101'値を‘Public PCS System, camera OFF'機能として定義することができる。
【００６０】
他の一例として、ＣＤＭＡプロトコルによって伝送する信号の中で‘Sync Channel Message'が用いられる場合について説明する。
【００６１】
基地局が無線端末３０へ同期化のために伝送する‘Sync Channel Message'に含まれる、ペイジングチャンネル伝送速度情報を示す‘PART'フィールドは、４ビットで構成される。
【００６２】
次の表３は、現在の‘PART'フィールドに定義されている値を説明するためのものである。
【表３】
2005143110.tif 000005
【００６３】
表３に表されるように、ペイジングチャンネル伝送速度を示す‘PART'フィールドは、‘0000'値と‘0001'値だけが定義されている。
【００６４】
即ち、ペイジングチャンネルの伝送速度が‘9600bps'であるならば、‘Sync Channel Message'の‘PART'フィールド値を‘0000'に設定し、ペイジングチャンネルの伝送速度が‘4800bps'であるならば、‘PART'フィールド値を‘0001'に設定して伝送する。
【００６５】
したがって、‘PART'フィールド値の予備フィールド値は、無線端末３０のカメラ機能をオン/オフするパラメーターとして定義されることができる。
【００６６】
次の表４は、本発明にしたがって、‘PART'フィールドに新たに定義される値を説明するためのものである。
【表４】
2005143110.tif 000006
【００６７】
表４に表されるように、‘Sync Channel Message'の‘PART'フィールド値が‘0011'の場合には‘camera ON'機能として定義し、‘0011'の場合には‘camera OFF'機能として定義することができる。
【００６８】
一方、ＷＣＤＭＡプロトコルテーブル１３ｂは、ＷＣＤＭＡプロトコルを使うシステムの情報であるパラメーター情報と、カメラ機能を制御するためのパラメーター情報及び周波数帯域情報と、を有する。
【００６９】
また他の一例として、ＷＣＤＭＡプロトコルによって伝送する信号の中でシステムの情報を無線端末３０へ伝送するＳＩＢ(System Information Block)が用いられる場合について説明する。
【００７０】
ここで、ＷＣＤＭＡプロトコルによってシステム情報を伝送する信号は、３０種類（types）のＳＩＢを各無線端末３０へブロードキャスト(broadcast)する。
【００７１】
このようなＳＩＢは、５ビットのフィールドで構成される。
【００７２】
図４は、本発明によるＷＣＤＭＡプロトコルテーブルを説明するための図である。
【００７３】
図４に示すように、ＷＣＤＭＡプロトコルテーブルは、ＷＣＤＭＡプロトコルを使う基地局がシステム情報を伝送するための３０個のＳＩＢタイプと、カメラ機能を制御するために新たに定義するタイプ(Type １９)と、からなる。
【００７４】
基地局は、各タイプのＳＩＢの情報要素(Information Element)にシステム情報パラメーターを含ませてＳＩＢを生成し、その生成されたＳＩＢをブロードキャスト方式で無線端末３０へ伝送する。
【００７５】
また、ＷＣＤＭＡプロトコルを使う無線端末３０は、受信される５ビットのＳＩＢを分析して、情報要素に載せられたシステム情報パラメーターを認識する。
【００７６】
即ち、無線端末３０は、受信されるＳＩＢが‘Type 19'ならば、要素のパラメーター情報を分析して、カメラオンメッセージであるか又はカメラオフメッセージであるかを判断することができる。
【００７７】
ＧＳＭプロトコルテーブル１３ｃは、ＧＳＭプロトコルによるシステムパラメーター情報と、カメラ機能を制御するためのパラメーター情報及び周波数帯域情報と、を有する。
【００７８】
例えば、ＧＳＭプロトコルにより伝送される信号の中でシステム情報を伝送するＢＣＣＨ(Broadcast Control Channel)の‘SYS_INFO Message'が使用される場合に、管理者は、‘SYS_INFO Message'に定義されていないパラメーター値を、カメラ制御パラメーター値として定義することができる。
【００７９】
言い換えれば、各プロトコルテーブル１３ａ，１３ｂ，１３ｃは、各プロトコルのパラメーター情報と、カメラ機能制御のために管理者が定義したパラメーター情報及び周波数帯域情報と、を有する。
【００８０】
ここで、管理者がカメラ機能制御のために定義したパラメーター情報は、各プロトコルによって基地局が無線端末へ伝送するメッセージの中で定義されていないパラメーター情報を使うことができる。
【００８１】
また、管理サーバー１０のＬＡＮインターフェース部１４は、制御部１２が各信号送出装置２０へ各プロトコルによるパラメーター情報及び周波数帯域情報をＬＡＮで伝送するようにインタフェーシングする。
【００８２】
図５は、本発明の好ましい実施の形態による信号送出装置の内部構成を説明するための内部ブロック図である。
【００８３】
図５を参照すると、上記信号送出装置２０は、ＬＡＮインターフェースモジュール２１と、中央処理部（ＣＰＵ）２２と、メモリー２４と、信号送出部２３と、を含む。さらに、中央処理部２２は信号処理部２２ａを含む。
【００８４】
ＬＡＮインターフェースモジュール２１は、管理サーバー１０からＬＡＮを通じてパラメーター情報及び周波数帯域情報を受信する。
【００８５】
また、中央処理部２２の信号処理部２２ａは、管理サーバー１０からＬＡＮインターフェースモジュール２１を通じて受信されるパラメーター情報及び周波数帯域情報を用いてプロトコルテーブル２４ａを生成し、その生成されるプロトコルテーブル２４ａをメモリー２４に保存する。
【００８６】
このとき、各信号送出装置２０の信号処理部２２ａにより生成されるプロトコルテーブル２４ａには、各信号送出装置２０が管理サーバー１０から受信するプロトコルパラメーター情報によって、ＣＤＭＡプロトコルテーブル、ＷＣＤＭＡプロトコルテーブル、及びＧＳＭプロトコルテーブルなどが該当される。
【００８７】
また、信号処理部２２ａは、メモリー２４に保存されたプロトコルテーブル２４ａを用いてカメラ制御信号を生成し、その生成されたカメラ制御信号を信号送出部２３に供給する。
【００８８】
また、信号送出部２３は、信号処理部２２ａから供給されるカメラ制御信号を、管理サーバー１０から受信された周波数帯域情報に従って無線で送り出す。
【００８９】
即ち、信号送出部２３は、信号処理部２２ａで生成されたカメラ制御信号を、該当のプロトコルを用いる無線端末３０によって使用される周波数帯域へ送り出して、その無線端末３０がカメラ制御信号を獲得できるようにする。
【００９０】
例えば、信号処理部２２ａは、管理サーバー１０から受信されるプロトコルパラメーター情報がＣＤＭＡプロトコルのパラメーター情報であれば、表２又は表４に示すように、カメラ機能を制御するために定義されたパラメーター情報が含まれたＣＤＭＡプロトコルテーブル２４ａを生成し、その生成されたＣＤＭＡプロトコルテーブル２４ａをメモリー２４に保存する。
【００９１】
まず、信号処理部２２ａは、表２に示すように、‘System Parameter Message'を用いてカメラ機能を制御する場合には、表２のように定義されたパラメーター情報を含むＣＤＭＡプロトコルパラメーター情報及び周波数帯域情報を管理サーバー１０から受信して、ＣＤＭＡプロトコルテーブル２４ａを生成し、その生成されたＣＤＭＡプロトコルテーブル２４ａをメモリー２４に保存する。
【００９２】
また、信号処理部２２ａは、システム情報を無線端末３０へ伝送する‘System Parameter Message'を生成するときに、‘BASE_CLASS'フィールドの値を、管理サーバー１０の設定に従ったセッティング（設定）を行う。
【００９３】
即ち、信号処理部２２ａは、管理サーバー１０から無線端末３０のカメラ機能オンが設定されると、‘BASE_CLASS'フィールド値を‘0010'又は‘0100'に設定する。
【００９４】
このとき、信号処理部２２ａは、無線端末３０のシステムが‘Public Macrocellular System'ならば、‘BASE_CLASS'フィールド値を‘0010'に設定し、‘Public PCS System'ならば、‘BASE_CLASS'フィールド値を‘0100'に設定する。
【００９５】
そして、信号処理部２２ａは、‘BASE_CLASS'フィールド値の設定を行って‘System Parameter Message'を生成し、その生成された‘System Parameter Message'を信号送出部２３を通じて無線で送り出す。
【００９６】
一方、信号処理部２２ａは、管理サーバー１０から無線端末３０のカメラ機能オフが設定されると、‘BASE_CLASS'フィールド値を‘0011'又は‘0101'に設定する。
【００９７】
このとき、信号処理部２２ａは、無線端末３０のシステムが‘Public Macrocellular System'ならば、‘BASE_CLASS'フィールド値を‘0011'に設定し、‘Public PCS System'ならば、‘BASE_CLASS'フィールド値を‘0101'に設定する。
【００９８】
他の例としては、信号処理部２２ａは、‘BASE_CLASS'フィールド値の設定を行って‘System Parameter Message'を生成し、その生成された‘System Parameter Message'を信号送出部２３を通じて無線で送り出す。
【００９９】
一方、信号処理部２２ａは、‘Sync Channel Message'を使用してカメラ機能を制御する場合には、表４のように定義されたパラメーター情報を含むＣＤＭＡプロトコルパラメーター情報及び周波数帯域情報を管理サーバー１０から受信して、ＣＤＭＡプロトコルテーブル２４ａを生成し、その生成されたＣＤＭＡプロトコルメッセージをメモリー２４に保存する。
【０１００】
そして、信号処理部２２ａは、管理サーバー１０からカメラ機能オンが設定されると、チャンネル速度を同期化するための‘Sync Channel Message'を生成するときに、‘PART'フィールド値を‘0010'に設定し、カメラ機能オフが設定されると、‘PART'フィールド値を‘0011'に設定して、‘Sync Channel Message'を生成する。
【０１０１】
そして、生成された‘Sync Channel Message'は、信号送出部２３を通じて無線で送り出される。
【０１０２】
また他の例としては、信号処理部２２ａは、管理サーバー１０から受信されるプロトコルパラメーター情報がＷＣＤＭＡプロトコルのパラメーター情報の場合には、図４に示すように、カメラ機能を制御するために定義されたタイプ(Type 19)のパラメーター情報が含まれたＷＣＤＭＡプロトコルテーブル２４ａを生成し、その生成されたＷＣＤＭＡプロトコルテーブル２４ａをメモリー２４に保存する。
【０１０３】
そして、信号処理部２２ａは、管理サーバー１０からカメラ機能オンが設定されると、システム情報を無線端末３０へ伝送するためのＳＩＢを生成するときに、カメラ機能制御タイプ(Type 19)の要素にカメラ機能オンを設定してＳＩＢを生成し、管理サーバー１０からカメラ機能オフが設定されると、カメラ機能制御タイプ(Type 19)の要素にカメラ機能オフを設定してＳＩＢを生成する。
【０１０４】
信号処理部２２ａは、システム情報を無線端末３０へ伝送するために生成したＳＩＢを、信号送出部２３を通じて無線で送り出す。
【０１０５】
そして、信号処理部２２ａは、管理サーバー１０からパラメーター情報を受信して生成したプロトコルテーブル２４ａがＧＳＭプロトコルテーブル２４ａならば、‘SYS_INFO Message'の生成の際に、カメラ機能制御のために定義された当該パラメーター情報を含めた‘SYS_INFO Message'を生成し、その生成された‘SYS_INFO Message'が含まれたカメラ制御信号を送り出す。
【０１０６】
図６は、本発明による信号送出装置がカメラ制御信号を送り出す方法を説明するための流れ図である。
【０１０７】
図６を参照すると、各信号送出装置２０の信号処理部２２ａは、メモリー２４に保存されているプロトコルテーブル２４ａを参照して、‘Ｔ'秒周期で、無線端末３０のカメラ機能を制御するカメラ制御信号を生成し、その生成されるカメラ制御信号を信号送出部２３を通じて送り出す。
【０１０８】
即ち、信号送出装置＃１(２０-１)は、ＣＤＭＡプロトコルによるカメラ制御信号を‘Ｔ'秒周期で生成して無線で送り出し、信号送出装置＃２(２０-２)は、ＷＣＤＭＡプロトコルによるカメラ制御信号を‘Ｔ'秒周期で生成して無線で送り出し、信号送出装置＃３(２０-３)は、ＧＳＭプロトコルによるカメラ制御信号を‘Ｔ'秒周期で生成して送り出す。
【０１０９】
ここで、各信号送出装置２０が管理サーバー１０から設定を受けた各プロトコルによるカメラ制御信号を、一定周期で繰り返し生成して送り出すこととしたのは、それぞれ一台の無線端末３０のカメラ機能しか制御出来ない事態を回避して、連続又は非連続的に同一のプロトコルを使う複数の無線端末３０のカメラ機能を制御するためである。
【０１１０】
図７は、本発明の好ましい実施の形態による無線端末の内部構成を説明するための内部ブロック図である。
【０１１１】
図７を参照すると、無線端末３０は、信号受信部３１と、中央制御部（ＣＰＵ）３２と、メモリー３４と、カメラ部３３と、を含む。
【０１１２】
また、中央制御部３２は、信号判断部３２ａを含む。
【０１１３】
信号受信部３１は、信号送出装置２０からのメッセージを無線により受信する。このとき、信号受信部３１は、無線端末３０が使うプロトコルにより使用される周波数帯域で受信される信号のみを受信する。
【０１１４】
即ち、信号受信部３１は、その無線端末３０が使うプロトコル及び周波数帯域により受信される信号のみを受信して、他のプロトコル及び他の周波数帯域を使う信号の影響を受けないようにする。
【０１１５】
また、メモリー３４は、プロトコルテーブル３４ａを保存し、このようなプロトコルテーブル３４ａは、その無線端末３０の製造業者が製造又は設計する際に、該無線端末３０が使うプロトコルによるパラメーター情報と、カメラ機能を制御するためのパラメーター情報と、を設定することができる。
【０１１６】
また、無線端末３０の使用者はカメラ機能を制御するためのパラメーター情報をアップグレードすることができ、この際には、パラメーター情報をアップグレードするサーバーが、有/無線ネットワークを介して接続されるようにすることができる。
【０１１７】
即ち、無線端末３０がＣＤＭＡプロトコルを使う場合には、表２又は表４に示すように、カメラ制御のために定義されたパラメーターが含まれるＣＤＭＡプロトコルテーブル３４ａを設定し、ＷＣＤＭＡプロトコルを使う場合には、図４に示すように、カメラ制御のためのタイプ(Type 19)が定義されたＷＣＤＭＡプロトコルテーブル３４ａを設定する。
【０１１８】
また、無線端末３０がＧＳＭプロトコルを使う場合には、ＢＣＣＨを通じて受信されるメッセージの中でカメラ機能を制御するために定義されたパラメーター情報を含むＧＳＭプロトコルテーブル３４ａを設定する。
【０１１９】
このとき、各プロトコルを用いる無線端末３０に設定される各プロトコルテーブル３４ａのパラメーター情報と、管理者が管理サーバー１０を通じて信号送出装置２０にパラメーター情報を供給し、各信号送出装置２０が生成する各プロトコルテーブル２４ａのパラメーター情報と、を同一の設定とすることが望ましい。
【０１２０】
また、中央制御部３２の信号判断部３２ａは、信号受信部３１を通じて受信される信号のパラメーター情報を認識し、その認識されたパラメーター情報を、メモリー３４に保存されたプロトコルテーブル３４ａを参照して、該当する機能で、当該無線端末３０に設定する。
【０１２１】
即ち、信号判断部３２ａは、信号送出装置２０から受信される信号のメッセージパラメーター情報の中に、カメラ機能をオン/オフするパラメーター情報があれば、カメラオン/オフ制御信号を生成して、その信号をカメラ部３３に供給する。
【０１２２】
例えば、無線端末３０がＣＤＭＡプロトコルを使う場合には、信号判断部３２ａは、信号送出装置＃１(２０-１)から受信される‘System Parameter Message'の‘BASE_CLASS'フィールド値を認識し、その‘BASE_CLASS'フィールド値が‘0010'に設定されている場合には、‘Public Macrocellular System'状態でカメラ機能をオンするカメラ制御信号であると判断して、カメラオン制御信号を生成する。
【０１２３】
そして、信号判断部３２ａは、‘BASE_CLASS'フィールドが‘0011'に設定されている場合には、‘Public Macrocellular System'状態でカメラ機能をオフするカメラ制御信号であると判断して、カメラオフ制御信号を生成し、その生成されたカメラオン/オフ制御信号をカメラ部３３に供給する。
【０１２４】
一方、‘System Parameter Message'の‘BASE_CLASS'フィールド値が‘0100'に設定されている場合には、信号判断部３２ａは、‘Public PCS System'状態でカメラ機能をオンするカメラ制御メッセージであると判断して、カメラオン制御信号を生成する。さらには、‘BASE_CLASS'フィールド値が‘0101'に設定されている場合には、信号判断部３２ａは、‘Public PCS Message'状態でカメラ機能をオフするカメラ制御信号であると判断して、カメラオフ制御信号を生成し、その生成されたカメラオン/オフ制御信号をカメラ部３３に供給する。
【０１２５】
また、無線端末３０がＣＤＭＡプロトコルを使う場合は、信号判断部３２ａは、信号送出装置＃１(２０-１)から受信される‘Sync Channel Message'の‘PART'フィールド値が‘0010'に設定されている場合には、カメラ機能をオンするカメラ制御信号であると判断して、カメラオン制御信号を生成し、‘Sync Channel Message'の‘PART'フィールド値が‘0011'に設定されている場合には、カメラ機能をオフするカメラ制御信号であると判断して、カメラオフ制御信号を生成し、その生成されたカメラオン/オフ制御信号をカメラ部３３に供給する。
【０１２６】
一方、信号判断部３２ａは、無線端末３０がＷＣＤＭＡプロトコルを使う場合には、信号送出装置＃２(２０-２)から受信されたＳＩＢが新たなカメラ機能制御タイプ(Type 19)であるか否かを認識し、カメラ機能制御タイプであれば、その受信されたＳＩＢの情報要素を参照して、カメラオン/オフメッセージであるか否かを判断する。
【０１２７】
また、信号判断部３２ａは、受信されたカメラ制御タイプ(Type 19)の要素に‘camera ON'が含まれていれば、カメラオン制御信号を生成し、‘camera OFF'が含まれていれば、カメラオフ制御信号を生成し、その生成されるカメラオン/オフ制御信号をカメラ部３３に供給する。
【０１２８】
一方、信号判断部３２ａは、無線端末３０がＧＳＭプロトコルを使う場合には、信号送出装置＃３(２０-３)から受信される‘SYS_INFO Message'のパラメーター情報を認識して、そのパラメーター情報がカメラオンパラメーター情報であるか或いはカメラオフパラメーター情報であるか、を判断する。
【０１２９】
また、信号判断部３２ａは、受信された‘SYS_INFO Message'にカメラオンパラメーター情報があれば、カメラオン制御信号を生成し、カメラオフパラメーター情報があれば、カメラオフ制御信号を生成し、その生成されたカメラオン/オフ制御信号をカメラ部３３に供給する。 
【０１３０】
カメラ部３３は、可視光線を撮影して映像情報を中央制御部３２へ伝送し、中央制御部３２から受信されるディスプレー信号に基づく映像信号をディスプレーする。
【０１３１】
そして、カメラ部３３は、信号判断部３２ａからのカメラオン制御信号が受信されると、カメラ機能をオンにし、カメラオフ制御信号が受信されると、カメラ機能をオフにする。
【０１３２】
また、中央制御部３２は、カメラ部３３からの映像信号が受信されると、その映像信号をメモリー３４に保存し、また、使用者の要求に応じて、当該映像信号に基づくディスプレー信号を供給する。
【０１３３】
このとき、中央制御部３２は、使用者の要求に応じて、メモリー３４に保存された映像信号に基づくディスプレー信号を、カメラ部３３に供給するか、或いは他のネットワークに接続された端末らに供給することができる。
【０１３４】
図８は、本発明の好ましい実施の形態による無線端末のカメラ機能を制御する方法の流れを説明するためのフローチャートである。
【０１３５】
図８を参照すると、まず、管理者が管理サーバー１０のユーザーインターフェース部１１を通じて各プロトコルのパラメーター情報及び周波数帯域情報を設定すると、制御部１２は、管理者から設定されるパラメーター情報及び周波数帯域情報を用いて、対応するプロトコルテーブル１３ａ，１３ｂ，１３ｃを生成して、これらテーブルを保存部１３に保存する(ステップＳ１)。
【０１３６】
即ち、制御部１２は、管理者がユーザーインターフェース部１１を通じてＣＤＭＡプロトコルパラメーター情報及び周波数帯域情報を設定した場合には、表２又は表４に示すようなカメラ制御機能が定義されたＣＤＭＡプロトコルテーブル１３ａを生成し、一方、管理者がユーザーインターフェース部１１を通じてＷＣＤＭＡプロトコルパラメーター情報及び周波数帯域情報を設定した場合には、図４に示すように、カメラ制御機能を持ったタイプ(Type 19)が定義されたＷＣＤＭＡプロトコルテーブル１３ｂを生成する。
【０１３７】
また、制御部１２は、管理者がユーザーインターフェース部１１を通じてＧＳＭプロトコルパラメーター情報及び周波数帯域情報を設定した場合には、カメラ機能を制御するために定義されるパラメーター情報が含まれたＧＳＭプロトコルテーブル１３ｃを生成する。
【０１３８】
そして、管理サーバー１０の制御部１２は、管理者の設定又はプログラミングされているプログラム情報に従って、ＬＡＮで接続された各信号送出装置２０が使うプロトコルを判定して、各信号送出装置２０に、該当するプロトコルテーブル１３ａ，１３ｂ，１３ｃのパラメーター情報及び周波数帯域情報を伝送する。
【０１３９】
例えば、制御部１２は、信号送出装置＃１(２０-１)をＣＤＭＡプロトコルで、信号送出装置＃２(２０-２)をＷＣＤＭＡプロトコルで、信号送出装置＃３(２０-３)をＧＳＭプロトコルで、それぞれ設定した場合には、信号送出装置＃１(２０-１)にＣＤＭＡプロトコルテーブル１３ａのパラメーター情報を送信し、信号送出装置＃２(２０-２)にはＷＣＤＭＡプロトコルテーブル１３ｂのパラメーター情報を送信し、信号送出装置＃３(２０-３)にはＧＳＭプロトコルテーブル１３ｃのパラメーター情報を送信する。
【０１４０】
このとき、管理サーバー１０は、管理者の設定に従って、カメラオン制御信号を生成すべきか或いはカメラオフ制御信号を生成すべきかを、各信号送出装置２０に対して送信することが望ましい。これは、無線端末３０が屋内又は特定領域内に進入する場合にはカメラオフ制御信号を生成し、屋内又は特定領域から外部に脱する場合には、カメラオン制御信号を生成するためである。 
【０１４１】
そして、各信号送出装置２０は、管理サーバー１０から受信されるプロトコルパラメーター情報を用いて該当するプロトコルテーブル２４ａを生成して、そのテーブルをメモリー２４に保存する。
【０１４２】
また、各信号送出装置２０は、メモリー２４に保存されたプロトコルテーブル２４ａを参照してカメラ制御信号を生成し、該生成されたカメラ制御信号を送り出す(ステップＳ２)。
【０１４３】
即ち、信号送出装置＃１(２０-１)の信号処理部２２ａは、管理サーバー１０からＬＡＮインターフェースモジュール２１を通じて受信されたパラメーター情報を使用してＣＤＭＡプロトコルテーブル２４ａを生成し、該生成されたＣＤＭＡプロトコルテーブル２４ａをメモリー２４に保存する。
【０１４４】
そして、信号処理部２２ａは、メモリー２４に保存されているＣＤＭＡプロトコルテーブル２４ａを参照してカメラ制御信号を生成し、該生成されたカメラ制御信号を信号送出部２３を通じて送り出す。 
【０１４５】
このとき、信号処理部２２ａは、管理サーバー１０からパラメーター情報を受信して生成したＣＤＭＡプロトコルテーブル２４ａが、表２に示すように、‘System Parameter Message'の‘BASE_CLASS'フィールド値を使用する場合には、システム情報を周期的に無線端末３０に伝送するための‘System Parameter Message'を生成するときに、‘BASE_CLASS'フィールド値を設定してカメラ制御信号を生成する。
【０１４６】
信号処理部２２ａは、管理者の設定に従ってカメラオン制御信号を生成するときに、‘Public Macrocellular System'ならば、‘BASE_CLASS'フィールド値を‘0010'に設定し、‘Public PCS System'ならば、‘BASE_CLASS'フィールド値を‘0100'に設定して、カメラ制御信号を生成する。
【０１４７】
一方、信号処理部２２ａは、管理者の設定に従ってカメラオフ制御信号を生成するときに、‘Public Macrocellular System'ならば、‘BASE_CLASS'フィールド値を‘0011'に設定し、‘Public PCS System'ならば、‘BASE_CLASS'フィールド値を‘0101'に設定して、カメラ制御信号を生成する。
【０１４８】
また、信号送出装置＃１(２０-１)は、表４に示すように‘Sync Channel Message'を使用する場合には、チャンネル速度の同期化のために周期的に無線端末３０へ伝送するための‘Sync Channel Message'を生成するときに、‘PART'フィールド値の設定を行ってカメラ制御信号を生成する。
【０１４９】
即ち、管理者の設定に従ってカメラオン制御信号を生成する場合には、‘PART'フィールド値を‘0010'に設定してカメラ制御信号を生成し、カメラオフ制御信号を生成する場合には、‘PART'フィールド値を‘0011'に設定して、‘Sync Channel Message'を生成する。
【０１５０】
また、信号送出装置＃２(２０-２)の信号処理部２２ａは、管理サーバー１０からＬＡＮインターフェースモジュール２１を通じて受信されたパラメーター情報を用いてＷＣＤＭＡプロトコルテーブル２４ａを生成し、該生成されたＷＣＤＭＡプロトコルテーブル２４ａをメモリー２４に保存する。
【０１５１】
そして、信号処理部２２ａは、メモリー２４に保存されているＷＣＤＭＡプロトコルテーブル２４ａを参照してカメラ制御信号を生成し、その生成されたカメラ制御信号を信号送出部２３を介して送り出す。
【０１５２】
このとき、信号処理部２２ａは、システム情報を伝送するために生成されたＳＩＢのタイプの中で、管理者がカメラ制御信号を生成するために定義したタイプ(Type 19)を使用して、カメラ制御信号を生成する。
【０１５３】
即ち、信号処理部２２ａは、メモリー２４に保存されているＷＣＤＭＡプロトコルテーブル２４ａを参照して新たに定義されたタイプ(Type 19)のＳＩＢを生成して送り出す。
【０１５４】
このとき、信号処理部２２ａは、管理者の設定に従ってカメラオン制御信号を生成する場合には、ＳＩＢの‘Type 19'の情報要素(Information Element)領域にカメラ機能オンパラメーター情報を載せてカメラ制御信号を生成することができ、一方、管理者の設定に従ってカメラオフ制御信号を生成する場合には、ＳＩＢの‘Type 19'の情報要素にカメラ機能オフパラメーター情報を載せてカメラ制御信号を生成することができる。
【０１５５】
また、信号送出装置＃３(２０-３)の信号処理部２２ａは、管理サーバー１０からＬＡＮインターフェースモジュール２１を通じて受信されるパラメーター情報を用いてＧＳＭプロトコルテーブル２４ａを生成し、該生成されたＧＳＭプロトコルテーブル２４ａをメモリー２４に保存する。
【０１５６】
そして、信号処理部２２ａは、管理者の設定に従うカメラ機能オン信号又はカメラ機能オフ信号を、メモリー２４に保存されたＧＳＭプロトコルテーブル２４ａを参照して生成する。
【０１５７】
このとき、信号処理部２２ａは、管理者の設定に従ってカメラ機能オン信号を生成するときに、メモリー２４に保存されたＧＳＭプロトコルテーブル２４ａを参照してカメラ機能オンパラメーター情報を載せて‘SYS_INFO Message'を生成して、或いは、カメラ機能オフパラメーター情報を載せて‘SYS_INFO Message'を生成して、該メッセージを信号送出部２３を通じて送り出す。
【０１５８】
そして、無線端末３０を使う加入者が屋内又は特定地域に進入するときに、その加入者は、入口側に設置された無線端末カメラ機能制御装置の移送部４１に無線端末３０を置くようにする。
【０１５９】
移送部４１は、ケース４０の流入口を通じて無線端末３０を無線端末カメラ機能制御装置の内部に移動させる(ステップＳ３)。
【０１６０】
このとき、カメラ機能制御装置のケース４０は、信号を遮断させる遮蔽機能を実行することにより、無線端末３０は新しいシステムから信号を受信するための検索を開始する(ステップＳ４)。
【０１６１】
その検索の結果、無線端末３０は、信号送出装置２０との間で無線チャンネルが設定されて、ケース４０内部に具備される信号送出装置２０から送り出されたカメラ制御信号を獲得する(ステップＳ５)。
【０１６２】
また、無線端末３０は、獲得したカメラ制御信号のパラメーター情報を認識し、カメラオン制御信号であるか又はカメラオフ制御信号であるかを判断する(ステップＳ６)。
【０１６３】
その判断の結果、無線端末３０が獲得したカメラ制御信号がカメラオン制御信号ならば、信号判断部３２ａは、カメラオン制御信号を生成してカメラ部３３に供給する。
【０１６４】
そして、カメラ部３３は、信号判断部３２ａからカメラオン制御信号が受信されると、カメラオンモードを設定する(ステップＳ７)。
【０１６５】
このとき、カメラ部３３は、カメラオン制御信号が受信されると、現在のカメラモードがカメラオフモードである場合はカメラオンモードに切り替え、現在のカメラモードがカメラオンモードである場合は現在のカメラオンモードを維持する。
【０１６６】
一方、判断の結果、無線端末３０が獲得したカメラ制御信号がカメラオフ制御信号ならば、信号判断部３２ａは、カメラオフ制御信号を生成してカメラ部３３に供給する。
【０１６７】
そして、カメラ部３３は、信号判断部３２ａからのカメラオフ制御信号を受信すると、カメラオフモードの設定を行う(ステップＳ８)。
【０１６８】
このとき、カメラ部３３は、カメラオフ制御信号が受信されると、現在のカメラモードがカメラオンモードである場合はカメラオフモードに切り替え、現在のカメラモードがカメラオフモードである場合は現在のカメラオフモードを維持する。
【０１６９】
例えば、無線端末３０がＣＤＭＡプロトコルを使う場合には、無線端末３０が移送部４１によってケース４０の内部に進入すれば、ケース４０の信号遮蔽機能によって、外部ＣＤＭＡプロトコル基地局(図示せず)から送り出されるシステム信号を受信することができない。
【０１７０】
したがって、無線端末３０は、新しいシステムからのシステム信号を受信するための検索を開始し、その検索の結果、信号送出装置＃１(２０-１)から送り出されるカメラ制御信号を獲得する。
【０１７１】
このとき、信号送出装置＃１(２０-１)は、ＣＤＭＡプロトコルによるシステム信号及びカメラ制御信号が含まれたカメラ制御信号を送り出す。
【０１７２】
まず、信号送出装置＃１(２０-１)の信号処理部２２ａが‘System Parameter Message'を使用してカメラ制御信号を送り出す場合、信号送出装置＃１(２０-１)の信号処理部２２ａは、管理者の設定に従ってカメラオン制御信号又はカメラオフ制御信号を生成して、信号送出部２３を通じて送り出す。
【０１７３】
このとき、信号処理部２２ａは、無線端末３０のシステムが‘Public Macrocellular System'ならば、‘BASE_CLASS'フィールド値を‘0010'に設定し、‘Public PCS System’ならば、‘BASE_CLASS'フィールド値を‘0100'に設定してカメラオン制御信号を生成し、生成されたカメラオン制御信号を信号送出部２３を通じて送り出す。
【０１７４】
一方、信号処理部２２ａは、無線端末３０ののシステムが‘Public Macrocellular System'ならば、‘BASE_CLASS'フィールド値を‘0011'に設定し、‘Public PCS System'ならば、‘BASE_CLASS'フィールド値を‘0101'に設定してカメラオフ制御信号を生成し、生成されたカメラオフ制御信号を信号送出部２３を通じて送り出す。
【０１７５】
そして、ＣＤＭＡプロトコルを使う無線端末３０は、獲得されたシステム信号が‘System Parameter Message'ならば、‘BASE_CLASS'フィールド値を認識し、その認識されたフィールド値に定義された機能を、メモリー３４に予め保存されたＣＤＭＡプロトコルテーブル３４ａでサーチする。
【０１７６】
即ち、無線端末３０の信号判断部３２ａは、信号送出装置＃１(２０-１)から送り出されるカメラ制御信号の‘BASE_CLASS'フィールド値を認識し、その‘BASE_CLASS'フィールド値が ‘0010'又は‘0100'であれば、カメラオン制御信号であると判断する。
【０１７７】
そして、信号判断部３２ａは、カメラオン制御信号を生成して、該信号をカメラ部３３に供給する。
【０１７８】
カメラ部３３は、信号判断部３２ａからのカメラオン制御信号が受信されると、カメラオンモードに設定する。
【０１７９】
また、信号判断部２２ａは、信号送出装置＃１(２０-１)から送り出されるカメラ制御信号の‘BASE_CLASS'フィールド値を認識し、その‘BASE_CLASS'フィールド値が‘0011'又は‘0101'であれば、カメラオフ制御信号であると判断し、カメラオフ制御信号を生成してカメラ部３３に供給する。 
【０１８０】
そして、カメラ部３３は、信号判断部２２ａからのカメラオフ制御信号が受信されると、カメラオフモードの設定を行う。
【０１８１】
一方、無線端末３０がＷＣＤＭＡプロトコルを使う場合、無線端末３０が移送部４１によってケース４０の内部に進入すれば、ケース４０の信号遮蔽機能によって、外部ＷＣＤＭＡプロトコル基地局(図示せず)から送り出されるシステム信号を受信することができない。
【０１８２】
したがって、無線端末３０は、新しいシステムからのシステム信号を受信するための検索を開始し、その検索の結果、信号送出装置＃２(２０-２)から送り出されるシステム信号及びカメラ制御信号が含まれたカメラ制御信号を獲得する。
【０１８３】
まず、信号送出装置＃２(２０-２)の信号処理部２２ａは、管理者の設定によってカメラ制御のために新たに定義されたタイプ(Type 19)の情報要素(Information Element)に、カメラオンパラメーター情報又はカメラオフパラメーター情報を載せて生成し、その生成されたＳＩＢを送り出す。
【０１８４】
そして、ＷＣＤＭＡプロトコルを使う無線端末３０の信号判断部３２ａは、受信されるＳＩＢの情報要素のパラメーター情報を分析して、カメラ制御情報を認識する。
【０１８５】
また、信号判断部３２ａは、認識されたカメラ制御情報がカメラオン制御信号であれば、カメラオン制御信号を生成してカメラ部３３に供給し、一方、カメラオフ制御信号であれば、カメラオフ制御信号を生成してカメラ部３３に伝送する。
【０１８６】
カメラ部３３は、信号判断部３２ａからカメラオン制御信号が受信されると、カメラオンモードの設定を行い、カメラオフ制御信号が受信されると、カメラオフモードの設定を行う。
【０１８７】
一方、無線端末３０がＧＳＭプロトコルを使う場合には、無線端末３０が移送部４１によってケース４０の内部に進入すれば、ケース４０の信号遮蔽機能によって、外部ＧＳＭプロトコル基地局(図示せず)から送り出されるシステム信号を受信することができない。
【０１８８】
したがって、無線端末３０は、新しいシステムからシステム信号を受信するための検索を開始し、その検索の結果、信号送出装置＃３(２０-３)から送り出されるシステム信号及びカメラ制御信号が含まれたカメラ制御信号を獲得する。
【０１８９】
まず、信号送出装置＃３(２０-３)の信号処理部２２ａは、管理者の設定によってカメラ制御のために新たに定義されたパラメーター情報を用いて‘SYS_INFO Message'を生成し、その生成された‘SYS_INFO Message'を送り出す。
【０１９０】
このとき、信号処理部２２ａは、管理者の設定によってＧＳＭプロトコルテーブル２４ａに予め設定された、カメラ機能オンパラメーター情報又はカメラ機能オフパラメーター情報を載せて‘SYS_INFO Message'を生成し、生成した‘SYS_INFO Message'を信号送出部２３を通じて送り出す。
【０１９１】
そして、ＧＳＭプロトコルを使う無線端末３０の信号判断部３２ａは、受信された‘SYS_INFO Message'のパラメーター情報を認識し、受信されたカメラ制御信号がカメラオン制御信号であるか或いはカメラオフ制御信号であるかを判断する。
【０１９２】
また、信号判断部３２ａは、受信されるカメラ制御信号がカメラオン制御信号であれば、カメラオン制御信号を生成してカメラ部３３に供給し、カメラオフ制御信号であれば、カメラオフ制御信号を生成してカメラ部３３に供給する。
【０１９３】
そして、カメラ部３３は、信号判断部３２ａからのカメラオン制御信号が受信されると、カメラオンモードの設定を行い、カメラオフ制御信号が受信されると、カメラオフモードの設定を行う。
【０１９４】
図９は、本発明の好ましい他の実施の形態による無線端末の状態情報(status information)を管理する方法の流れを説明するフローチャートである。
【０１９５】
図９を参照すると、無線端末制御装置の管理者が管理サーバー１０のユーザーインターフェース部１１を介して各プロトコルのパラメーター情報及び周波数帯域情報を設定すれば、制御部１２は、管理者から設定されるパラメーター情報及び周波数帯域情報を使用して、対応するプロトコルテーブル１３ａ，１３ｂ，１３ｃを生成して、これら各テーブルを保存部１３に保存する(ステップＳ１０)。
【０１９６】
そして、管理サーバー１０の制御部１２は、管理者の設定に従う各プロトコルのパラメーター情報を各信号送出装置２０へ送信する。
【０１９７】
例えば、制御部１２は、信号送出装置＃１(２０-１)がＣＤＭＡプロトコルで、信号送出装置＃２(２０-２)がＷＣＤＭＡプロトコルで、信号送出装置＃３(２０-３)がＧＳＭプロトコルで、それぞれ設定されている場合には、信号送出装置＃１(２０-１)へＣＤＭＡプロトコルテーブル１３ａのパラメーター情報を送信し、信号送出装置＃２(２０-２)へＷＣＤＭＡプロトコルテーブル１３ｂのパラメーター情報を送信し、信号送出装置＃３(２０-３)へＧＳＭプロトコルテーブル１３ｃのパラメーター情報を送信する。
【０１９８】
そして、各信号送出装置２０は、管理サーバー１０から受信されるプロトコルパラメーター情報を使用して、対応するプロトコルテーブル２４ａを生成し、該テーブルをメモリー２４に保存する。
【０１９９】
また、各信号送出装置２０は、メモリー２４に保存されたプロトコルテーブル２４ａを参照してシステム制御信号を生成し、その生成されるシステム制御信号を送り出す(ステップＳ１１)。
【０２００】
即ち、信号送出装置＃１(２０-１)の信号処理部２２ａは、管理サーバー１０からＬＡＮインターフェースモジュール２１を通じて受信されたパラメーター情報を用いてＣＤＭＡプロトコルテーブル２４ａを生成し、生成されたＣＤＭＡプロトコルテーブル２４ａをメモリー２４に保存する。
【０２０１】
そして、信号送出装置＃２(２０-１)の信号処理部２２ａは、メモリー２４に保存されているＣＤＭＡプロトコルテーブル２４ａを参照してシステム制御信号を生成し、生成されたシステム制御信号を信号送出部２３を通じて送り出す。
【０２０２】
そして、信号処理部２２ａは、管理者の設定に従うカメラ機能オン信号又はカメラ機能オフ信号を、メモリー２４に保存されたＣＤＭＡプロトコルテーブル２４ａを参照して生成する。
【０２０３】
また、 信号送出装置＃１(２０-２)の信号処理部２２ａは、管理サーバー１０からＬＡＮインターフェースモジュール２１を通じて受信されたパラメーター情報を用いてＷＣＤＭＡプロトコルテーブル２４ａを生成し、生成されたＷＣＤＭＡプロトコルテーブル２４ａをメモリー２４に保存する。
【０２０４】
そして、信号送出装置＃２(２０-２)の信号処理部２２ａは、メモリー２４に保存されているＷＣＤＭＡプロトコルテーブル２４ａを参照してシステム制御信号を生成し、生成されたシステム制御信号を信号送出部２３を通じて送り出す。
【０２０５】
そして、信号処理部２２ａは、管理者の設定に従うカメラ機能オン信号又はカメラ機能オフ信号を、メモリー２４に保存されたＷＣＤＭＡプロトコルテーブル２４ａを参照して生成する。
【０２０６】
また、信号送出装置＃３(２０-３)の信号処理部２２ａは、管理サーバー１０からＬＡＮインターフェースモジュール２１を通じて受信されたパラメーター情報を用いてＧＳＭプロトコルテーブル２４ａを生成し、生成されたＧＳＭプロトコルテーブル２４ａをメモリー２４に保存する。
【０２０７】
そして、信号送出装置＃２(２０-３)の信号処理部２２ａは、メモリー２４に保存されているＧＳＭプロトコルテーブル２４ａを参照してシステム制御信号を生成し、生成されたシステム制御信号を信号送出部２３を通じて送り出す。
【０２０８】
そして、信号処理部２２ａは、管理者の設定に従うカメラ機能オン信号又はカメラ機能オフ信号を、メモリー２４に保存されたＧＳＭプロトコルテーブル２４ａを参照して生成する。
【０２０９】
無線端末３０を使う加入者が屋内又は特定地域に進入する場合には、その無線端末３０は、入口側に設置された無線端末カメラ機能制御装置の移送部４１内に置かれる。
【０２１０】
移送部４１は、ケース４０の流入口を通じて無線端末３０を無線端末管理装置の内部に移動させる(ステップＳ１２)。
【０２１１】
このとき、無線端末制御装置のケース４０は、信号を遮断させる遮蔽機能を実行することにより、無線端末３０は新しいシステムから信号を受信するための検索を開始する(ステップＳ１３)。
【０２１２】
その検索の結果、無線端末３０がケース４０の内部に具備される信号送出装置２０から送り出されたシステム制御信号を獲得する(ステップＳ１４)。
【０２１３】
このような無線チャンネルは、信号送出装置２０が無線端末３０へシステム制御信号を伝送する順方向チャンネル(forward channel)と、無線端末３０が状態情報信号を信号送出装置２０に伝送する逆方向チャンネル(reverse channel)と、に大別することができる。
【０２１４】
また、無線端末３０は、システム制御信号を受信すれば、自機の状態パラメーター情報を用いて状態情報信号を生成し、その生成された状態情報信号を、逆方向チャンネルを通じて信号送出装置２０へ送信する(ステップＳ１５)。
【０２１５】
信号送出装置２０の中央処理部２２は、無線端末３０から受信された状態情報信号のパラメーター情報を認識して、当該無線端末３０の状態情報をメモリー２４に保存する(ステップＳ１６)。
【０２１６】
ここで、信号送出装置２０は、複数の無線端末３０と無線チャンネルが設定されて信号が交換されると、各無線端末３０とチャンネルとが設定された時間情報と、対応する時間情報の信号が交換された無線端末３０の状態情報と、をメモリー２４に保存する。
【０２１７】
そして、管理サーバー１０の制御部１２は、加入者が無線端末３０を屋内又は特定領域で悪意的に使う場合には、出入した無線端末３０の状態情報を検索するために、ユーザーインターフェース部１１を通じて無線端末３０の管理情報が要求される際に(ステップＳ１７)、各信号送出装置２０へ当該無線端末３０の状態情報要求信号を送信する。
【０２１８】
信号送出装置２０は、管理サーバー１０からの状態情報要求信号を受信すると、メモリー２４に保存された各無線端末３０の状態情報と時間情報とを供給する。
【０２１９】
管理サーバー１０の制御部１２は、各信号送出装置２０から供給される各無線端末３０の状態情報と時間情報とを管理する。
【０２２０】
ここで、制御部１２が各無線端末３０を管理する方法は、各信号送出装置２０から供給される各無線端末３０の状態情報を該当無線端末３０が屋内又は特定領域に出入した時間情報別に管理する方法や、各信号送出装置２０が使うプロトコルの種類別に無線端末３０の状態情報を管理する方法とすることができる。
【０２２１】
また、制御部１２が各無線端末３０を管理する方法としては、各送出装置２０から供給された、各無線端末３０が使う周波数帯域別に管理することとしても良い。
【０２２２】
そして、制御部１２は、各無線端末３０の管理情報を保存部１３に保存し、保存部１３に保存された管理情報を管理者がユーザーインターフェース部１１を通じて認知できるように、ディスプレー信号を供給する。
【０２２３】
ユーザーインターフェース部１１は、制御部１２から供給されるディスプレー信号によって各無線端末３０の管理情報をディスプレーする(ステップＳ１８)。
【０２２４】
例えば、管理サーバー１０は、管理者からの無線端末３０の管理情報要求が受信されると、各信号送出装置２０へ管理情報要求信号を送信する。
【０２２５】
そして、各信号送出装置２０は、メモリー２４に保存されている無線端末３０の状態情報を管理サーバー１０に供給する。
【０２２６】
即ち、信号送出装置＃１(２０-１)は、ＣＤＭＡプロトコルを使う各無線端末の状態情報を供給し、信号送出装置＃２(２０-２)は、ＷＣＤＭＡプロトコルを使う各無線端末３０の状態情報を供給し、信号送出装置＃３(２０-３)は、ＧＳＭプロトコルを使う各無線端末３０の状態情報を供給する。
【０２２７】
管理サーバー１０は、各信号送出装置２０から供給される各無線端末３０の状態情報を、各信号送出装置２０と、対応する信号送出装置２０との間で無線チャンネルが設定された無線端末３０の状態情報と、で区分して管理することができる。 
【０２２８】
ここで、信号送出装置２０によって供給される無線端末３０の状態情報を区分する方法としては、各プロトコルを使う無線端末３０で区分すること、或いは、同一のプロトコルを使う複数の信号送出装置２０があれば、各信号送出装置２０が信号を送り出す周波数帯域と当該周波数帯域を使う無線端末３０で区分することができる。
【０２２９】
そして、管理サーバー１０は、ユーザーインターフェース部１１により、各信号送出装置２０の状態情報と、該当信号送出装置２０と無線チャンネルが設定された無線端末３０の状態情報と、をディスプレーする。
【０２３０】
また、管理サーバー１０は、各信号送出装置２０から供給された各無線端末３０の状態情報を、時間情報別に区分して管理することができる。 
【０２３１】
即ち、管理サーバー１０は、管理者により設定された時間帯別に区分して、該当時間帯に無線チャンネルが設定された無線端末３０の状態情報を管理することができる。
【０２３２】
そして、管理サーバー１０は、ユーザーインターフェース部１１をにより、各時間帯別に無線チャンネルが設定された無線端末３０の状態情報をディスプレーする。
【０２３３】
本発明は、本発明の技術的思想から逸脱することなく、他の種々の形態で実施することができる。前述の実施の形態は、あくまでも、本発明の技術内容を明らかにするための具体例を示したに過ぎず、そのような具体例のみに限定して狭義に解釈されるべきものではなく、本発明の精神と特許請求の範囲内で、様々に変更して実施することができるものである。
【図面の簡単な説明】
【０２３４】
【図１】本発明の好ましい実施の形態による無線端末を制御するシステムの構成を説明するための全体ブロック図である。
【図２】本発明の好ましい実施の形態による管理サーバーの内部構成を説明するための内部ブロック図である。
【図３】本発明の好ましい実施の形態による保存部に保存される各プロトコルテーブルを説明するための図である。
【図４】本発明によるＷＣＤＭＡプロトコルテーブルを説明するための図である。
【図５】本発明の好ましい実施の形態による信号送出装置の内部構成を説明するための内部ブロック図である。
【図６】本発明による信号送出装置がカメラ制御信号を送り出す方法を説明するための流れ図である。
【図７】本発明の好ましい実施の形態による無線端末の内部構成を説明するための内部ブロック図である。
【図８】本発明の好ましい実施の形態による無線端末のカメラ機能を制御する方法の流れを説明するためのフローチャートである。
【図９】本発明の好ましい他の実施の形態による無線端末の状態情報を管理する方法の流れを説明するフローチャートである。
【符号の説明】
【０２３５】
１０  管理サーバー
１１  ユーザーインターフェース部
１２  制御部
１３  保存部 
１３ａ  ＣＤＭＡプロトコルテーブル
１３ｂ  ＷＣＤＭＡプロトコルテーブル
１３ｃ  ＧＳＭプロトコルテーブル
１４  ＬＡＮインターフェース部
２０（２０−１，２０−２，２０−３，・・・，２０−ｎ）  信号送出装置
２１  ＬＡＮインターフェースモジュール
２２  中央処理部
２２ａ  信号処理部
２３  信号送出部
２４  メモリー
３０  無線端末
３１  信号受信部
３２  中央制御部
３２ａ  信号判断部
３３  カメラ部
４０  ケース 
４１  移送部 
【図１】
2005143110.tif 000007
【図２】
2005143110.tif 000008
【図３】
2005143110.tif 000009
【図４】
2005143110.tif 000010
【図５】
2005143110.tif 000011
【図６】
2005143110.tif 000012
【図７】
2005143110.tif 000013
【図８】
2005143110.tif 000014
【図９】
2005143110.tif 000015